(57)【要約】  【課題】  電源タイミング仕様を満足し、尚且つ電源基板とメイン基板とを接続するコネクタのフレキシブルケーブルでの配線を１本削減し、コストダウンを図れる電源装置を提供する。  【解決手段】  第４の電圧出力回路４は、パワースイッチをオンしたときのパワースイッチ信号の代わりに第１の電圧出力回路１からの５Ｖ電圧で制御されているが、５Ｖ電圧の立上りが遅れるので、第４の電圧出力回路４からの１．５Ｖ電圧の立上りは所定時間遅れる。そのため、第２，第３の電圧出力回路２，３へのコントロール信号の立上りを所定時間遅らせることにより、１．５電圧の立上りを３．３Ｖ電圧および２．５Ｖ電圧の立上りに合わすことができる。１．５Ｖ電圧を５Ｖ電圧で制御しても、電源タイミングの仕様を満足させつつ、フレキシブルケーブルの配線を１本削減でき、コストダウンを図ることができる。【選択図】      図３
2005348493.tif 000002
【特許請求の範囲】
【請求項１】
パワースイッチがオンされたとき第１の電圧を出力する第１の電圧出力回路と、コント
ロール信号により制御され第２の電圧を出力する第２の電圧出力回路と、コントロール信
号により制御され第３の電圧を出力する第３の電圧出力回路と、前記第１の電圧により制
御され最も低い第４の電圧を出力する第４の電圧出力回路とを含み構成される電源装置に
おいて、前記第１の電圧出力回路と前記第２の電圧出力回路と前記第３の電圧出力回路は
電源基板に実装され、前記第４の電圧出力回路はシステム回路が実装されたメイン基板に
実装され、前記電源基板と前記メイン基板は複数本の信号ラインから成るフレキシブルケ
ーブルで接続され、前記第４の電圧出力回路は前記第１の電圧出力回路からの第１の電圧
で制御される回路構成の場合、前記第２，第３の電圧出力回路へのコントロール信号の立
上りを所定時間遅らせることを特徴とする電源装置。
【請求項２】
パワースイッチがオンされたとき第１の電圧を出力する第１の電圧出力回路と、コント
ロール信号により制御され第２の電圧を出力する第２の電圧出力回路と、コントロール信
号により制御され第３の電圧を出力する第３の電圧出力回路と、前記第１の電圧により制
御され最も低い第４の電圧を出力する第４の電圧出力回路とを含み構成される電源装置に
おいて、前記第１の電圧出力回路と前記第２の電圧出力回路と前記第３の電圧出力回路は
電源基板に実装され、前記第４の電圧出力回路はシステム回路が実装されたメイン基板に
実装され、前記電源基板と前記メイン基板は複数本の信号ラインから成るフレキシブルケ
ーブルで接続され、前記第４の電圧出力回路は前記第１の電圧出力回路からの第１の電圧
で制御される回路構成の場合、前記第２の電源出力回路から出力される第２の電圧の立上
りが、前記第４の電圧出力回路から出力される第４の電圧の立上りに合わせることができ
るような容量の第１のコンデンサを前記第２の電圧出力回路の出力ラインに接続すると共
に、前記第３の電源出力回路から出力される第３の電圧の立上りが、前記第４の電圧出力
回路から出力される第４の電圧の立上りに合わせることができるような容量の第２のコン
デンサを前記第３の電圧出力回路の出力ラインに接続することを特徴とする電源装置。
【請求項３】
パワースイッチがオンされたとき第１の電圧を出力する第１の電圧出力回路と、コント
ロール信号により制御され第２の電圧を出力する第２の電圧出力回路と、コントロール信
号により制御され第３の電圧を出力する第３の電圧出力回路と、前記第１の電圧により制
御され最も低い第４の電圧を出力する第４の電圧出力回路とを含み構成される電源装置に
おいて、前記第１の電圧出力回路と前記第２の電圧出力回路と前記第３の電圧出力回路は
電源基板に実装され、前記第４の電圧出力回路はシステム回路が実装されたメイン基板に
実装され、前記電源基板と前記メイン基板は複数本の信号ラインから成るフレキシブルケ
ーブルで接続され、前記第４の電圧出力回路は前記第１の電圧出力回路からの第１の電圧
で制御される回路構成の場合、前記第４の電圧出力回路のコントロールラインのコンデン
サに換えて抵抗を接続し、更に前記第２，第３の電圧出力回路へのコントロール信号の立
下りを所定時間遅らせることを特徴とする電源装置。
【請求項４】
メイン電圧を出力するメイン電圧出力回路と、前記メイン電圧とは異なる電圧をそれぞ
れ出力する複数の電圧出力回路とを含み構成される電源装置において、前記メイン電圧出
力回路と前記複数の電圧出力回路のうちの所定数の電圧出力回路は電源基板に実装され、
前記複数の電圧出力回路のうちの所定数の電圧出力回路以外の電圧出力回路はシステム回
路が実装されたメイン基板に実装され、前記電源基板と前記メイン基板は複数本の信号ラ
インから成るフレキシブルケーブルで接続され、前記所定数の電圧出力回路以外の電圧出
力回路は前記メイン電圧出力回路からのメイン電圧で制御される回路構成の場合、前記所
定数の電圧出力回路へのコントロール信号の立上りを所定時間遅らせることを特徴とする
電源装置。
【請求項５】
メイン電圧を出力するメイン電圧出力回路と、前記メイン電圧とは異なる電圧をそれぞ
れ出力する複数の電圧出力回路とを含み構成される電源装置において、前記メイン電圧出
力回路と前記複数の電圧出力回路のうちの所定数の電圧出力回路は電源基板に実装され、
前記複数の電圧出力回路のうちの所定数の電圧出力回路以外の電圧出力回路はシステム回
路が実装されたメイン基板に実装され、前記電源基板と前記メイン基板は複数本の信号ラ
インから成るフレキシブルケーブルで接続され、前記所定数の電圧出力回路以外の電圧出
力回路は前記メイン電圧出力回路からのメイン電圧で制御される回路構成の場合、前記所
定数の電圧出力回路から出力される電圧の立上りが、前記所定数の電圧出力回路以外の電
圧出力回路から出力される電圧の立上りに合わせることができるような容量のコンデンサ
を前記所定数の電圧出力回路の出力ラインに接続することを特徴とする電源装置。
【請求項６】
メイン電圧を出力するメイン電圧出力回路と、前記メイン電圧とは異なる電圧を出力す
る複数の電圧出力回路とを含み構成される電源装置において、前記メイン電圧出力回路と
前記複数の電圧出力回路のうちの所定数の電圧出力回路は電源基板に実装され、前記複数
の電圧出力回路のうちの所定数の電圧出力回路以外の電圧出力回路はシステム回路が実装
されたメイン基板に実装され、前記電源基板と前記メイン基板は複数本の信号ラインから
成るフレキシブルケーブルで接続され、前記所定数の電圧出力回路以外の電圧出力回路は
前記メイン電圧出力回路からのメイン電圧で制御される回路構成の場合、前記所定数の電
圧出力回路以外の電圧出力回路のコントロールラインのコンデンサに換えて抵抗を接続し
、更に前記所定数の電圧出力回路へのコントロール信号の立下りを所定時間遅らせること
を特徴とする電源装置。
【請求項７】
前記メイン電圧出力回路はパワースイッチがオンされたとき第１の電圧を出力する第１
の電圧出力回路であり、前記複数の電圧出力回路はコントロール信号により制御され第２
，第３の電圧を出力する第２，第３の出力電圧出力回路であり、前記所定数の電圧出力回
路以外の電圧出力回路は前記第１の電圧により制御され最も低い第４の電圧を出力する第
４の電圧出力回路であり、前記第２，第３の電圧出力回路へのコントロール信号の立上り
を所定時間遅らせることを特徴とする請求項４に記載の電源装置。
【請求項８】
前記メイン電圧出力回路はパワースイッチがオンされたとき第１の電圧を出力する第１
の電圧出力回路であり、前記複数の電圧出力回路はコントロール信号により制御され第２
，第３の電圧を出力する電圧出力回路であり、前記所定数の電圧出力回路以外の電圧出力
回路は前記第１の電圧により制御され最も低い第４の電圧を出力する第４の電圧出力回路
であり、前記第２の電源出力回路から出力される第２の電圧の立上りが、前記第４の電圧
出力回路から出力される第４の電圧の立上りに合わせることができるような容量の第１の
コンデンサを前記第２の電圧出力回路の出力ラインに接続すると共に、前記第３の電源出
力回路から出力される第３の電圧の立上りが、前記第４の電圧出力回路から出力される第
４の電圧の立上りに合わせることができるような容量の第２のコンデンサを前記第３の電
圧出力回路の出力ラインに接続することを特徴とする請求項５に記載の電源装置。
【請求項９】
前記メイン電圧出力回路はパワースイッチがオンされたとき第１の電圧を出力する第１
の電圧出力回路であり、前記複数の電圧出力回路はコントロール信号により制御され第２
，第３の電圧を出力する第２，第３の電圧出力回路であり、前記所定数の電圧出力回路以
外の電圧出力回路は前記第１の電圧により制御され最も低い第４の電圧を出力する第４の
電圧出力回路であり、前記第４の電圧出力回路のコントロールラインのコンデンサに換え
て抵抗を接続し、更に前記第２，第３の電圧出力回路へのコントロール信号の立下りを所
定時間遅らせることを特徴とする請求項６に記載の電源装置。
【発明の詳細な説明】
【技術分野】
【０００１】
本発明は、光ディスク再生装置などの電子機器における複数の回路に異なる電圧の動作
電圧を供給する電源装置に関する。
【背景技術】
【０００２】
図１１は従来の電源装置において電源基板に実装された側の電圧出力回路の構成を示す
回路図である。
【０００３】
図１１において、電源基板（ＡＶ基板）Ａには、パワースイッチ１０６がオンされたと
き５Ｖ（ＤＣ５Ｖ）の電圧を出力する第１の電圧出力回路１と、コントロール信号（レギ
ュレータコントロール信号）により制御され３．３Ｖ（ＤＣ３．３Ｖ）の電圧を出力する
第２の電圧出力回路２と、前記コントロール信号（レギュレータコントロール信号）によ
り制御され２．５Ｖ（ＤＣ２．５Ｖ）の電圧を出力する第３の電圧出力回路３と、１Ｐ〜
１８Ｐのピンを有するコネクタ受け端子５とが実装されている。
【０００４】
第１の電圧出力回路１は、トランジスタ１０１、抵抗１０２、抵抗１０３、抵抗１０４
、ダイオード１０５、パワースイッチ１０６、抵抗１０７、およびトランジスタ１０８を
有している。トランジスタ１０１のエミッタと抵抗１０２の一端は端子ＶＩＮに接続され
、抵抗１０２の他端はトランジスタ１０１のベースに接続されている。トランジスタ１０
１のコレクタはコネクタ受け端子５のピン１５Ｐに接続されている。また、抵抗１０２の
他端は、抵抗１０３と抵抗１０４との並列回路を介してダイオード１０５のアノードに接
続されている。ダイオード１０５のカソードはトランジスタ１０８のコレクタに接続され
ている。トランジスタ１０８のエミッタ１０８は接地され、そのベースは抵抗１０７を介
してパワースイッチ１０６に接続されている。
【０００５】
第２の電圧出力回路２は、抵抗２０１、ダイオード２０２、レギュレータ２０３、コン
デンサ２０４、抵抗２０５、コンデンサ２０６ａ、抵抗２０７、抵抗２０８、電解コンデ
ンサ２０９、抵抗２１０、およびコンデンサ２１１を有している。抵抗２０１の一端はレ
ギュレータコントロール端子ＣＮＴに接続され、その他端はダイオード２０２のアノード
に接続されている。ダイオード２０２のカソードはレギュレータ２０３のＶＣ端子に接続
されている。レギュレータ２０３のＶＩＮ端子は、端子ＶＩＮに接続されていると共にコ
ンデンサ２０４を介して接地されている。レギュレータ２０３のＧＮＤ端子は接地され、
そのＶＯ端子は、コンデンサ２０６ａの一端、抵抗２０８の一端、電解コンデンサ２０９
の一端、端子３Ｖ３、抵抗２１０の一端、コンデンサ２１１の一端、およびコネクタ受け
端子５のピン１１Ｐ，１２Ｐ，１３Ｐに接続されている。コンデンサ２０６ａの他端は、
レギュレータ２０３のＶＣ端子に接続されていると共に抵抗２０５を介して接地されてい
る。抵抗２０８の他端は、抵抗２０７を介してコンデンサ２０６ａの他端に接続されてい
る。電解コンデンサ２０９の他端、抵抗２１０の他端、およびコンデンサ２１１の他端は
接地されている。
【０００６】
第３の電圧出力回路３は、抵抗３０１、ダイオード３０２、レギュレータ３０３、コン
デンサ３０４、抵抗３０５、コンデンサ３０６ａ、抵抗３０７、抵抗３０８、電解コンデ
ンサ３０９、抵抗３１０、およびコンデンサ３１１を有している。抵抗３０１の一端はレ
ギュレータコントロール端子ＣＮＴに接続され、その他端はダイオード３０２のアノード
に接続されている。ダイオード３０２のカソードはレギュレータ３０３の端子ＶＣに接続
されている。レギュレータ３０３のＶＩＮ端子は、端子ＶＩＮに接続されていると共にコ
ンデンサ３０４を介して接地されている。レギュレータ３０３のＧＮＤ端子は接地され、
そのＶＯ端子は、コンデンサ３０６ａの一端、抵抗３０８の一端、電解コンデンサ３０９
の一端、端子２Ｖ５、抵抗３１０の一端、コンデンサ３１１の一端、およびコネクタ受け
端子５のピン６Ｐ，７Ｐ，８Ｐに接続されている。コンデンサ３０６ａの他端は、レギュ
レータ３０３のＶＣ端子に接続されていると共に抵抗３０５を介して接地されている。抵
抗３０８の他端は、抵抗３０７を介してコンデンサ３０６ａの他端に接続されている。電
解コンデンサ３０９の他端、抵抗３１０の他端、およびコンデンサ３１１の他端は接地さ
れている。
【０００７】
図１２は従来の電源装置においてメイン基板に実装された側の電圧出力回路を含む構成
を示す回路図である。
【０００８】
図１２において、メイン基板Ｂには、前記５Ｖの電圧により制御され第４の電圧として
の１．５Ｖ（ＤＣ１．５Ｖ）の電圧を出力する第４の電圧出力回路４と、システム回路７
と、１Ｐ〜１８Ｐのピンを有するコネクタ受け端子６とが実装されている。
【０００９】
第４の電圧出力回路４は、コンデンサ４１、抵抗４２、コンデンサ４３ａ、レギュレー
タ４４、コンデンサ４５、電解コンデンサ４６、および抵抗４７を備えている。コンデン
サ４１の一端は端子ＵＲＧ２．４に接続され、その他端は接地されている。抵抗４２の一
端は端子５Ｖに接続され、その他端はレギュレータ４４のＶＣ端子およびコンデンサ４３
ａの一端に接続されている。コンデンサ４１の他端およびコンデンサ４３ａの他端は接地
されている。レギュレータ４４のＶＩＮ端子は端子ＵＲＧ２．４に接続され、そのＶＯ端
子は、コンデンサ４５の一端、電解コンデンサ４６の一端、端子１Ｖ５、および抵抗４７
の一端に接続されている。レギュレータ４４のＧＮＤ端子、コンデンサ４５の他端、電解
コンデンサ４６の他端、および抵抗４７の他端は、接地されている。システム回路７にお
いては、１Ｖ５端子は端子１Ｖ５に接続され、２Ｖ５端子は端子２Ｖ５に接続され、３Ｖ
３端子は端子３Ｖ３に接続され、ＧＮＤ端子は接地されている。
【００１０】
電源基板Ａとメイン基板Ｂとは、電源基板Ａ側のコネクタ受け端子５とメイン基板Ｂ側
のコネクタ受け端子６とに接続されるコネクタ（図示せず）によって接続される。このコ
ネクタは、電源基板Ａ側のコネクタ受け端子５に嵌合して接続される一方の端子部と、メ
イン基板Ｂ側のコネクタ受け端子６に嵌合して接続される他方の端子部と、両端子部の間
を接続するフレキシブルケーブルとから構成されている。
【００１１】
次に、図１１および図１２に示す回路の動作について説明する。第１の電圧出力回路１
において、パワースイッチ１０６がオンされると、トランジスタ１０８がオンし、これに
より、トランジスタ１０１は動作状態に入り、端子ＶＩＮに入力された例えば１２Ｖ電圧
に基づいてトランジスタ１０１のベース電流が制御され、トランジスタ１０１のコレクタ
から一定の５Ｖ電圧が出力される。したがって、この第１の電圧出力回路１は、一定の５
Ｖ電圧をコネクタ受け端子５のピン５Ｐに供給する。
【００１２】
第２の電圧出力回路２において、レギュレータ２０３は、端子ＣＮＴからＶＣ端子に入
力されたコントロール信号に従って動作し、端子ＶＩＮからＶＩＮ端子に入力された電源
電圧に基づいて一定の３．３Ｖの電圧をＶＯ端子から出力し、コネクタ受け端子５のピン
１０Ｐ，１１Ｐ，１２Ｐに供給する。
【００１３】
第３の電圧出力回路３において、レギュレータ３０３は、端子ＣＮＴからＶＣ端子に入
力されたコントロール信号に従って動作し、端子ＶＩＮからＶＩＮ端子に入力された電源
電圧に基づいて一定の２．５Ｖの電圧をＶＯ端子から出力し、コネクタ受け端子５のピン
６Ｐ，７Ｐ，８Ｐに供給する。
【特許文献１】特開平７−２８８９２８号公報
【特許文献２】特開２０００−９２７０３号公報
【発明の開示】
【発明が解決しようとする課題】
【００１４】
ところで、この従来の電源装置においては、１．５Ｖ電圧と２．５Ｖ電圧と３．３Ｖ電
圧との立上りの電圧波形は図１３に示すようになる。図１３において、Ｌ１は３．３Ｖ電
圧の立上りを示すライン、Ｌ２は２．５Ｖ電圧の立上りを示すライン、Ｌ３は２．５Ｖ電
圧の立上りを示すラインである。また、従来の電源装置において、例えば、光ディスク再
生装置が高温でディスクが有る時の１．５Ｖ電圧と２．５Ｖ電圧と３．３Ｖ電圧との立下
りの電圧波形は図１４に示すようになる。図１４において、Ｌ１は３．３Ｖ電圧の立上り
を示すライン、Ｌ２は２．５Ｖ電圧の立上りを示すライン、Ｌ３は２．５Ｖ電圧の立上り
を示すラインである。
【００１５】
図１３に示すように電源の立上り時、本来なら１番に立上るはずのラインＬ３で示す１
．５Ｖの電圧が最後に立上っている。本来ならメイン基板Ｂに１．５Ｖ電圧制御用として
、パワースイッチ１０６の信号を引張ってくれば、１．５Ｖ電圧はラインＬ１で示す３．
３Ｖ電圧およびラインＬ２で示す２．５Ｖ電圧と同時に立上るが、電源基板Ａとメイン基
板Ｂを接続するコネクタのフレキシブルケーブルの配線を１本減らしてコストダウンを図
るために、１．５Ｖの制御は、電源基板Ａに実装されているパワースイッチ１０６からの
パワースイッチ信号の代わりに５Ｖ電圧で制御しているので、この５Ｖの立上りが遅れる
と、１．５Ｖ立上りも遅れてくる。この結果、この従来の電源装置を採用している光ディ
スク再生装置などは動作の立上げが遅れるという課題が生じる。
【００１６】
また、例えば、光ディスク再生装置において、高温時に光ディスクが装填されている状
態であるディスク負荷がある場合に、図１４に示すようにラインＬ３で示す１．５Ｖ電圧
の立下りタイミングがラインＬ１で示す３．３Ｖ電圧およびラインＬ２で示す２．５Ｖ電
圧の立下りタイミングよりも約５１．８ｍｓ遅れ、図４に示すような電源タイミングの仕
様を満足しなくなる。また、この場合も、この従来の電源装置を採用している光ディスク
再生装置などは動作の立上げが遅れるという課題が生じる。
【００１７】
なお、特許文献１，２の従来技術は、上記の従来の電源装置の回路構成とは異なるもの
である。
【００１８】
本発明は、上記のような課題を解決するためになされたもので、電源タイミング仕様を
満足し、尚且つ電源基板とメイン基板とを接続するコネクタのフレキシブルケーブルでの
配線を１本削減し、コストダウンを図れる電源装置を提供することを目的とする。
【課題を解決するための手段】
【００１９】
上記目的を達成するために、請求項１の発明は、パワースイッチがオンされたとき第１
の電圧を出力する第１の電圧出力回路と、コントロール信号により制御され第２の電圧を
出力する第２の電圧出力回路と、コントロール信号により制御され第３の電圧を出力する
第３の電圧出力回路と、前記第１の電圧により制御され最も低い第４の電圧を出力する第
４の電圧出力回路とを含み構成される電源装置において、前記第１の電圧出力回路と前記
第２の電圧出力回路と前記第３の電圧出力回路は電源基板に実装され、前記第４の電圧出
力回路はシステム回路が実装されたメイン基板に実装され、前記電源基板と前記メイン基
板は複数本の信号ラインから成るフレキシブルケーブルで接続され、前記第４の電圧出力
回路は前記第１の電圧出力回路からの第１の電圧で制御される回路構成の場合、前記第２
，第３の電圧出力回路へのコントロール信号の立上りを所定時間遅らせることを特徴とす
る電源装置を提供する。
【００２０】
この構成において、パワースイッチがオンされると、第１の電圧が第１の電圧出力回路
から出力され、また、コントロール信号が第２の電圧出力回路および第３の電圧出力回路
に入力されると、そのコントロール信号の立上りで、第２の電圧が第２の電圧出力回路か
ら、第３の電圧が第３の電圧出力回路から出力される。
【００２１】
ところで、第４の電圧出力回路は、パワースイッチをオンしたときのパワースイッチ信
号の代わりに第１の電圧出力回路からの第１の電圧で制御されているが、第１の電圧出力
回路から出力される第１の電圧の立上りが遅れるので、第４の電圧出力回路からの第４の
電圧の立上りは所定時間遅れる。そのため、第２，第３の電圧出力回路へのコントロール
信号の立上りを所定時間遅らせることにより、第４の電圧の立上りを第２の電圧および第
３の電圧の立上りに合わすことができる。
【００２２】
この構成によれば、コントロール信号に立上りを所定時間遅らせることで、第４の電圧
を第１の電圧で制御しても電源タイミングの仕様を満足させつつ、尚且つ電源基板とメイ
ン基板とを接続するコネクタのフレキシブルケーブルの配線を１本削減でき、コストダウ
ンを図ることができる。
【００２３】
請求項２の発明は、パワースイッチがオンされたとき第１の電圧を出力する第１の電圧
出力回路と、コントロール信号により制御され第２の電圧を出力する第２の電圧出力回路
と、コントロール信号により制御され第３の電圧を出力する第３の電圧出力回路と、前記
第１の電圧により制御され最も低い第４の電圧を出力する第４の電圧出力回路とを含み構
成される電源装置において、前記第１の電圧出力回路と前記第２の電圧出力回路と前記第
３の電圧出力回路は電源基板に実装され、前記第４の電圧出力回路はシステム回路が実装
されたメイン基板に実装され、前記電源基板と前記メイン基板は複数本の信号ラインから
成るフレキシブルケーブルで接続され、前記第４の電圧出力回路は前記第１の電圧出力回
路からの第１の電圧で制御される回路構成の場合、前記第２の電源出力回路から出力され
る第２の電圧の立上りが、前記第４の電圧出力回路から出力される第４の電圧の立上りに
合わせることができるような容量の第１のコンデンサを前記第２の電圧出力回路の出力ラ
インに接続すると共に、前記第３の電源出力回路から出力される第３の電圧の立上りが、
前記第４の電圧出力回路から出力される第４の電圧の立上りに合わせることができるよう
な容量の第２のコンデンサを前記第３の電圧出力回路の出力ラインに接続することを特徴
とする電源装置を提供する。
【００２４】
この構成において、パワースイッチがオンされると、第１の電圧が第１の電圧出力回路
から出力され、また、コントロール信号が第２の電圧出力回路および第３の電圧出力回路
に入力されると、そのコントロール信号の立上りで、第２の電圧が第２の電圧出力回路か
ら、第３の電圧が第３の電圧出力回路から出力される。
【００２５】
ところで、第４の電圧出力回路は、パワースイッチをオンしたときのパワースイッチ信
号の代わりに第１の電圧出力回路からの第１の電圧で制御されているが、第１の電圧出力
回路から出力される第１の電圧の立上りが遅れるので、第４の電圧出力回路からの第４の
電圧の立上りは所定時間遅れる。そのため、第２の電源出力回路から出力される第２の電
圧の立上りが、第４の電圧出力回路から出力される第４の電圧の立上りに合わせることが
できるような容量の第１のコンデンサを第２の電圧出力回路の出力ラインに接続すると共
に、第３の電源出力回路から出力される第３の電圧の立上りが、第４の電圧出力回路から
出力される第４の電圧の立上りに合わせることができるような容量の第２のコンデンサを
第３の電圧出力回路の出力ラインに接続することにより、第４の電圧の立上りを第２の電
圧および第３の電圧の立上りに合わすことができる。
【００２６】
この構成によれば、コントロール信号に立上りを所定時間遅らせることで、第４の電圧
を第１の電圧で制御しても電源タイミングの仕様を満足させつつ、尚且つ電源基板とメイ
ン基板とを接続するコネクタのフレキシブルケーブルの配線を１本削減でき、コストダウ
ンを図ることができる。
【００２７】
請求項３の発明は、パワースイッチがオンされたとき第１の電圧を出力する第１の電圧
出力回路と、コントロール信号により制御され第２の電圧を出力する第２の電圧出力回路
と、コントロール信号により制御され第３の電圧を出力する第３の電圧出力回路と、前記
第１の電圧により制御され最も低い第４の電圧を出力する第４の電圧出力回路とを含み構
成される電源装置において、前記第１の電圧出力回路と前記第２の電圧出力回路と前記第
３の電圧出力回路は電源基板に実装され、前記第４の電圧出力回路はシステム回路が実装
されたメイン基板に実装され、前記電源基板と前記メイン基板は複数本の信号ラインから
成るフレキシブルケーブルで接続され、前記第４の電圧出力回路は前記第１の電圧出力回
路からの第１の電圧で制御される回路構成の場合、前記第４の電圧出力回路のコントロー
ルラインのコンデンサに換えて抵抗を接続し、更に前記第２，第３の電圧出力回路へのコ
ントロール信号の立下りを所定時間遅らせることを特徴とする電源装置を提供する。
【００２８】
この構成において、パワースイッチがオンされると、第１の電圧が第１の電圧出力回路
から出力され、また、コントロール信号が第２の電圧出力回路および第３の電圧出力回路
に入力されると、そのコントロール信号の立上りで、第２の電圧が第２の電圧出力回路か
ら、第３の電圧が第３の電圧出力回路から出力される。
【００２９】
ところで、第４の電圧出力回路は、パワースイッチをオンしたときのパワースイッチ信
号の代わりに第１の電圧出力回路からの第１の電圧で制御されているが、パワースイッチ
のオフ時には第１の電圧出力回路から出力される第１の電圧の立下りが遅れるので、第４
の電圧出力回路からの第４の電圧の立下りは遅れる。そのため、第４の電圧出力回路のコ
ントロールラインのコンデンサに換えて抵抗を接続し、これにより、パワースイッチのオ
フ時には第４の電圧出力回路に与えられている第１の電圧の立下りが早くなり、更に、第
２，第３の電圧出力回路へのコントロール信号の立下りを所定時間遅らせることにより、
第４の電圧の立下りを第２の電圧および第３の電圧の立下りに合わすことができる。
【００３０】
この構成によれば、第１の電圧の立下りを早くし、更にコントロール信号の立下りを所
定時間遅らせることで、第４の電圧を第１の電圧で制御しても電源タイミングの仕様を満
足させつつ、尚且つ電源基板とメイン基板とを接続するコネクタのフレキシブルケーブル
の配線を１本削減でき、コストダウンを図ることができる。
【００３１】
請求項４の発明は、メイン電圧を出力するメイン電圧出力回路と、前記メイン電圧とは
異なる電圧をそれぞれ出力する複数の電圧出力回路とを含み構成される電源装置において
、前記メイン電圧出力回路と前記複数の電圧出力回路のうちの所定数の電圧出力回路は電
源基板に実装され、前記複数の電圧出力回路のうちの所定数の電圧出力回路以外の電圧出
力回路はシステム回路が実装されたメイン基板に実装され、前記電源基板と前記メイン基
板は複数本の信号ラインから成るフレキシブルケーブルで接続され、前記所定数の電圧出
力回路以外の電圧出力回路は前記メイン電圧出力回路からのメイン電圧で制御される回路
構成の場合、前記所定数の電圧出力回路へのコントロール信号の立上りを所定時間遅らせ
ることを特徴とする電源装置を提供する。
【００３２】
この構成において、例えばパワースイッチがオンされると、メイン電圧がメイン電圧出
力回路から出力され、また、例えばコントロール信号が前記所定数の電圧出力回路以外の
電圧出力回路に入力されると、前記所定数の電圧出力回路は、そのコントロール信号の立
上りで、電圧が出力される。
【００３３】
ところで、前記所定数の電圧出力回路以外の電圧出力回路は、パワースイッチをオンし
たときのパワースイッチ信号の代わりにメイン電圧出力回路からのメイン電圧で制御され
ているが、メイン電圧出力回路から出力されるメイン電圧の立上りが遅れるので、前記所
定数の電圧出力回路以外の電圧出力回路からの電圧の立上りは所定時間遅れる。そのため
、前記所定数の電圧出力回路へのコントロール信号の立上りを所定時間遅らせることによ
り、前記所定数の電圧出力回路以外の電圧出力回路の出力電圧の立上りを、前記所定数の
電圧出力回路の出力電圧の立上りに合わすことができる。
【００３４】
この構成によれば、コントロール信号に立上りを所定時間遅らせることで、前記所定数
の電圧出力回路以外の電圧出力回路の出力電圧をメイン電圧で制御しても、電源タイミン
グの仕様を満足させつつ、尚且つ電源基板とメイン基板とを接続するコネクタのフレキシ
ブルケーブルの配線を１本削減でき、コストダウンを図ることができる。
【００３５】
請求項５の発明は、メイン電圧を出力するメイン電圧出力回路と、前記メイン電圧とは
異なる電圧をそれぞれ出力する複数の電圧出力回路とを含み構成される電源装置において
、前記メイン電圧出力回路と前記複数の電圧出力回路のうちの所定数の電圧出力回路は電
源基板に実装され、前記複数の電圧出力回路のうちの所定数の電圧出力回路以外の電圧出
力回路はシステム回路が実装されたメイン基板に実装され、前記電源基板と前記メイン基
板は複数本の信号ラインから成るフレキシブルケーブルで接続され、前記所定数の電圧出
力回路以外の電圧出力回路は前記メイン電圧出力回路からのメイン電圧で制御される回路
構成の場合、前記所定数の電圧出力回路から出力される電圧の立上りが、前記所定数の電
圧出力回路以外の電圧出力回路から出力される電圧の立上りに合わせることができるよう
な容量のコンデンサを前記所定数の電圧出力回路の出力ラインに接続することを特徴とす
る電源装置を提供する。
【００３６】
この構成において、例えばパワースイッチがオンされると、メイン電圧がメイン電圧出
力回路から出力され、また、例えばコントロール信号が前記所定数の電圧出力回路以外の
電圧出力回路に入力されると、前記所定数の電圧出力回路は、そのコントロール信号の立
上りで、電圧が出力される。
【００３７】
ところで、前記所定数の電圧出力回路以外の電圧出力回路は、パワースイッチをオンし
たときのパワースイッチ信号の代わりにメイン電圧出力回路からのメイン電圧で制御され
ているが、メイン電圧出力回路から出力されるメイン電圧の立上りが遅れるので、前記所
定数の電圧出力回路以外の電圧出力回路からの電圧の立上りは所定時間遅れる。そのため
、前記所定数の電圧出力回路から出力される電圧の立上りが、前記所定数の電圧出力回路
以外の電圧出力回路から出力される電圧の立上りに合わせることができるような容量のコ
ンデンサを前記所定数の電圧出力回路の出力ラインに接続することにより、前記所定数の
電圧出力回路以外の電圧出力回路から出力される電圧の立上りを、前記所定数の電圧出力
回路から出力される電圧の立上りに合わすことができる。
【００３８】
この構成によれば、前記所定数の電圧出力回路の出力ラインにコンデンサを接続するこ
とにより、前記所定数の電圧出力回路以外の電圧出力回路の出力電圧をメイン電圧で制御
しても、電源タイミングの仕様を満足させつつ、尚且つ電源基板とメイン基板とを接続す
るコネクタのフレキシブルケーブルの配線を１本削減でき、コストダウンを図ることがで
きる。
【００３９】
請求項６の発明は、メイン電圧を出力するメイン電圧出力回路と、前記メイン電圧とは
異なる電圧を出力する複数の電圧出力回路とを含み構成される電源装置において、前記メ
イン電圧出力回路と前記複数の電圧出力回路のうちの所定数の電圧出力回路は電源基板に
実装され、前記複数の電圧出力回路のうちの所定数の電圧出力回路以外の電圧出力回路は
システム回路が実装されたメイン基板に実装され、前記電源基板と前記メイン基板は複数
本の信号ラインから成るフレキシブルケーブルで接続され、前記所定数の電圧出力回路以
外の電圧出力回路は前記メイン電圧出力回路からのメイン電圧で制御される回路構成の場
合、前記所定数の電圧出力回路以外の電圧出力回路のコントロールラインのコンデンサに
換えて抵抗を接続し、更に前記所定数の電圧出力回路へのコントロール信号の立下りを所
定時間遅らせることを特徴とする電源装置を提供する。
【００４０】
この構成において、例えばパワースイッチがオンされると、メイン電圧がメイン電圧出
力回路から出力され、また、例えばコントロール信号が前記所定数の電圧出力回路以外の
電圧出力回路に入力されると、前記所定数の電圧出力回路は、そのコントロール信号の立
上りで、電圧が出力される。
【００４１】
ところで、前記所定数の電圧出力回路以外の電圧出力回路は、パワースイッチをオンし
たときのパワースイッチ信号の代わりにメイン電圧出力回路からのメイン電圧で制御され
ているが、パワースイッチのオフ時にはメイン電圧出力回路から出力されるメイン電圧の
立下りが遅れるので、前記所定数の電圧出力回路以外の電圧出力回路からの電圧の立下り
は遅れる。そのため、前記所定数の電圧出力回路以外の電圧出力回路のコントロールライ
ンのコンデンサに換えて抵抗を接続し、これにより、パワースイッチのオフ時の前記所定
数の電圧出力回路以外の電圧出力回路のコントロール信号として前記所定数の電圧出力回
路以外の電圧出力回路に与えられるメイン電圧の立下りが早くなり、更に、前記所定数の
電圧出力回路へのコントロール信号の立下りを所定時間遅らせることにより、前記所定数
の電圧出力回路以外の電圧出力回路の出力電圧の立下りを前記所定数の電圧出力回路の出
力電圧の立下りに合わすことができる。
【００４２】
この構成によれば、メイン電圧の立下りを早くし、コントロール信号の立下りを所定時
間遅らせることで、前記所定数の電圧出力回路以外の電圧出力回路の出力電圧をメイン電
圧で制御しても電源タイミングの仕様を満足させつつ、尚且つ電源基板とメイン基板とを
接続するコネクタのフレキシブルケーブルの配線を１本削減でき、コストダウンを図るこ
とができる。
【００４３】
請求項７の発明では、請求項４の発明において、前記メイン電圧出力回路はパワースイ
ッチがオンされたとき第１の電圧を出力する第１の電圧出力回路であり、前記複数の電圧
出力回路はコントロール信号により制御され第２，第３の電圧を第２，第３の出力電圧出
力回路であり、前記所定数の電圧出力回路以外の電圧出力回路は前記第１の電圧により制
御され最も低い第４の電圧を出力する第４の電圧出力回路であり、前記第２，第３の電圧
出力回路へのコントロール信号の立上りを所定時間遅らせるようにしたので、第４の電圧
の立上りを第２の電圧および第３の電圧の立上りに合わすことができる。
【００４４】
請求項８の発明は、請求項５の発明において、前記メイン電圧出力回路はパワースイッ
チがオンされたとき第１の電圧を出力する第１の電圧出力回路であり、前記複数の電圧出
力回路はコントロール信号により制御され第２，第３の電圧を出力する電圧出力回路であ
り、前記所定数の電圧出力回路以外の電圧出力回路は前記第１の電圧により制御され最も
低い第４の電圧を出力する第４の電圧出力回路であり、前記第２の電源出力回路から出力
される第２の電圧の立上りが、前記第４の電圧出力回路から出力される第４の電圧の立上
りに合わせることができるような容量の第１のコンデンサを前記第２の電圧出力回路の出
力ラインに接続すると共に、前記第３の電源出力回路から出力される第３の電圧の立上り
が、前記第４の電圧出力回路から出力される第４の電圧の立上りに合わせることができる
ような容量の第２のコンデンサを前記第３の電圧出力回路の出力ラインに接続するように
したので、第４の電圧の立上りを第２の電圧および第３の電圧の立上りに合わすことがで
きる。
【００４５】
請求項９の発明では、請求項６の発明において、前記メイン電圧出力回路はパワースイ
ッチがオンされたとき第１の電圧を出力する第１の電圧出力回路であり、前記複数の電圧
出力回路はコントロール信号により制御され第２，第３の電圧を出力する第２，第３の電
圧出力回路であり、前記所定数の電圧出力回路以外の電圧出力回路は前記第１の電圧によ
り制御され最も低い第４の電圧を出力する第４の電圧出力回路であり、前記第４の電圧出
力回路のコントロールラインのコンデンサに換えて抵抗を接続し、更に前記第２，第３の
電圧出力回路へのコントロール信号の立下りを所定時間遅らせるようにしたので、第４の
電圧の立下りを第２の電圧および第３の電圧の立下りに合わすことができる。
【発明の効果】
【００４６】
以上のように本発明によれば、パワースイッチがオンされたとき第１の電圧を出力する
第１の電圧出力回路と、コントロール信号により制御され第２の電圧を出力する第２の電
圧出力回路と、コントロール信号により制御され第３の電圧を出力する第３の電圧出力回
路と、前記第１の電圧により制御され最も低い第４の電圧を出力する第４の電圧出力回路
とを含み構成される電源装置において、前記第１の電圧出力回路と前記第２の電圧出力回
路と前記第３の電圧出力回路は電源基板に実装され、前記第４の電圧出力回路はシステム
回路が実装されたメイン基板に実装され、前記電源基板と前記メイン基板は複数本の信号
ラインから成るフレキシブルケーブルで接続され、前記第４の電圧出力回路は前記第１の
電圧出力回路からの第１の電圧で制御される回路構成の場合、前記第２，第３の電圧出力
回路へのコントロール信号の立上りを所定時間遅らせるようにしたので、第４の電圧を第
１の電圧で制御しても電源タイミングの仕様を満足させつつ、尚且つ電源基板とメイン基
板とを接続するコネクタのフレキシブルケーブルの配線を１本削減でき、コストダウンを
図ることができる。
【００４７】
本発明によれば、パワースイッチがオンされたとき第１の電圧を出力する第１の電圧出
力回路と、コントロール信号により制御され第２の電圧を出力する第２の電圧出力回路と
、コントロール信号により制御され第３の電圧を出力する第３の電圧出力回路と、前記第
１の電圧により制御され最も低い第４の電圧を出力する第４の電圧出力回路とを含み構成
される電源装置において、前記第１の電圧出力回路と前記第２の電圧出力回路と前記第３
の電圧出力回路は電源基板に実装され、前記第４の電圧出力回路はシステム回路が実装さ
れたメイン基板に実装され、前記電源基板と前記メイン基板は複数本の信号ラインから成
るフレキシブルケーブルで接続され、前記第４の電圧出力回路は前記第１の電圧出力回路
からの第１の電圧で制御される回路構成の場合、前記第２の電源出力回路から出力される
第２の電圧の立上りが、前記第４の電圧出力回路から出力される第４の電圧の立上りに合
わせることができるような容量の第１のコンデンサを前記第２の電圧出力回路の出力ライ
ンに接続すると共に、前記第３の電源出力回路から出力される第３の電圧の立上りが、前
記第４の電圧出力回路から出力される第４の電圧の立上りに合わせることができるような
容量の第２のコンデンサを前記第３の電圧出力回路の出力ラインに接続するようにしたの
で、第４の電圧を第１の電圧で制御しても電源タイミングの仕様を満足させつつ、尚且つ
電源基板とメイン基板とを接続するコネクタのフレキシブルケーブルの配線を１本削減で
き、コストダウンを図ることができる。
【００４８】
本発明によれば、パワースイッチがオンされたとき第１の電圧を出力する第１の電圧出
力回路と、コントロール信号により制御され第２の電圧を出力する第２の電圧出力回路と
、コントロール信号により制御され第３の電圧を出力する第３の電圧出力回路と、前記第
１の電圧により制御され最も低い第４の電圧を出力する第４の電圧出力回路とを含み構成
される電源装置において、前記第１の電圧出力回路と前記第２の電圧出力回路と前記第３
の電圧出力回路は電源基板に実装され、前記第４の電圧出力回路はシステム回路が実装さ
れたメイン基板に実装され、前記電源基板と前記メイン基板は複数本の信号ラインから成
るフレキシブルケーブルで接続され、前記第４の電圧出力回路は前記第１の電圧出力回路
からの第１の電圧で制御される回路構成の場合、前記第４の電圧出力回路のコントロール
ラインのコンデンサに換えて抵抗を接続し、更に前記第２，第３の電圧出力回路へのコン
トロール信号の立下りを所定時間遅らせるようにしたので、第４の電圧を第１の電圧で制
御しても電源タイミングの仕様を満足させつつ、尚且つ電源基板とメイン基板とを接続す
るコネクタのフレキシブルケーブルの配線を１本削減でき、コストダウンを図ることがで
きる。
【００４９】
本発明によれば、メイン電圧を出力するメイン電圧出力回路と、前記メイン電圧とは異
なる電圧をそれぞれ出力する複数の電圧出力回路とを含み構成される電源装置において、
前記メイン電圧出力回路と前記複数の電圧出力回路のうちの所定数の電圧出力回路は電源
基板に実装され、前記複数の電圧出力回路のうちの所定数の電圧出力回路以外の電圧出力
回路はシステム回路が実装されたメイン基板に実装され、前記電源基板と前記メイン基板
は複数本の信号ラインから成るフレキシブルケーブルで接続され、前記所定数の電圧出力
回路以外の電圧出力回路は前記メイン電圧出力回路からのメイン電圧で制御される回路構
成の場合、前記所定数の電圧出力回路へのコントロール信号の立上りを所定時間遅らせる
ようにしたので、前記所定数の電圧出力回路以外の電圧出力回路の出力電圧をメイン電圧
で制御しても電源タイミングの仕様を満足させつつ、尚且つ電源基板とメイン基板とを接
続するコネクタのフレキシブルケーブルの配線を１本削減でき、コストダウンを図ること
ができる。
【００５０】
本発明によれば、メイン電圧を出力するメイン電圧出力回路と、前記メイン電圧とは異
なる電圧をそれぞれ出力する複数の電圧出力回路とを含み構成される電源装置において、
前記メイン電圧出力回路と前記複数の電圧出力回路のうちの所定数の電圧出力回路は電源
基板に実装され、前記複数の電圧出力回路のうちの所定数の電圧出力回路以外の電圧出力
回路はシステム回路が実装されたメイン基板に実装され、前記電源基板と前記メイン基板
は複数本の信号ラインから成るフレキシブルケーブルで接続され、前記所定数の電圧出力
回路以外の電圧出力回路は前記メイン電圧出力回路からのメイン電圧で制御される回路構
成の場合、前記所定数の電圧出力回路から出力される電圧の立上りが、前記所定数の電圧
出力回路以外の電圧出力回路から出力される電圧の立上りに合わせることができるような
容量のコンデンサを前記所定数の電圧出力回路の出力ラインに接続するようにしたので、
前記所定数の電圧出力回路以外の電圧出力回路の出力電圧をメイン電圧で制御しても電源
タイミングの仕様を満足させつつ、尚且つ電源基板とメイン基板とを接続するコネクタの
フレキシブルケーブルの配線を１本削減でき、コストダウンを図ることができる。
【００５１】
本発明によれば、メイン電圧を出力するメイン電圧出力回路と、前記メイン電圧とは異
なる電圧を出力する複数の電圧出力回路とを含み構成される電源装置において、前記メイ
ン電圧出力回路と前記複数の電圧出力回路のうちの所定数の電圧出力回路は電源基板に実
装され、前記複数の電圧出力回路のうちの所定数の電圧出力回路以外の電圧出力回路はシ
ステム回路が実装されたメイン基板に実装され、前記電源基板と前記メイン基板は複数本
の信号ラインから成るフレキシブルケーブルで接続され、前記所定数の電圧出力回路以外
の電圧出力回路は前記メイン電圧出力回路からのメイン電圧で制御される回路構成の場合
、前記所定数の電圧出力回路以外の電圧出力回路のコントロールラインのコンデンサに換
えて抵抗を接続し、更に前記所定数の電圧出力回路へのコントロール信号の立下りを所定
時間遅らせるようにしたので、前記所定数の電圧出力回路以外の電圧出力回路の出力電圧
をメイン電圧で制御しても電源タイミングの仕様を満足させつつ、尚且つ電源基板とメイ
ン基板とを接続するコネクタのフレキシブルケーブルの配線を１本削減でき、コストダウ
ンを図ることができる。
【発明を実施するための最良の形態】
【００５２】
以下、添付図面を参照しつつ、本発明の実施の形態について説明する。図１は本発明の
実施形態に係る電源装置において電源基板に実装された側の電圧出力回路の構成を示す回
路図である。
【００５３】
図１において、電源基板（ＡＶ基板）Ａには、パワースイッチ１０６がオンされたとき
第１の電圧としての５Ｖ（ＤＣ５Ｖ）の電圧を出力する第１の電圧出力回路１と、コント
ロール信号（レギュレータコントロール信号）に基づいて第２の電圧としての３．３Ｖ（
ＤＣ３．３Ｖ）の電圧を出力する第２の電圧出力回路２と、前記コントロール信号（レギ
ュレータコントロール信号）に基づいて第３の電圧としての２．５Ｖ（ＤＣ２．５Ｖ）の
電圧を出力する第３の電圧出力回路３と、１Ｐ〜１８Ｐのピンを有するコネクタ受け端子
５とが実装されている。
【００５４】
第１の電圧出力回路１は、トランジスタ１０１、抵抗１０２、抵抗１０３、抵抗１０４
、ダイオード１０５、パワースイッチ１０６、抵抗１０７、およびトランジスタ１０８を
有している。トランジスタ１０１のエミッタと抵抗１０２の一端は端子ＶＩＮに接続され
、抵抗１０２の他端はトランジスタ１０１のベースに接続されている。トランジスタ１０
１のコレクタはコネクタ受け端子５のピン１５Ｐに接続されている。また、抵抗１０２の
他端は、抵抗１０３と抵抗１０４との並列回路を介してダイオード１０５のアノードに接
続されている。ダイオード１０５のカソードはトランジスタ１０８のコレクタに接続され
ている。トランジスタ１０８のエミッタ１０８は接地され、そのベースは抵抗１０７を介
してパワースイッチ１０６に接続されている。
【００５５】
第２の電圧出力回路２は、抵抗２０１、ダイオード２０２、レギュレータ２０３、コン
デンサ２０４、抵抗２０５、コンデンサ２０６、抵抗２０７、抵抗２０８、電解コンデン
サ２０９、抵抗２１０、およびコンデンサ２１１を有している。抵抗２０１の一端は端子
（レギュレータコントロール端子）ＣＮＴに接続され、その他端はダイオード２０２のア
ノードに接続されている。ダイオード２０２のカソードはレギュレータ２０３のＶＣ端子
に接続されている。レギュレータ２０３のＶＩＮ端子は、端子ＶＩＮに接続されていると
共にコンデンサ２０４を介して接地されている。レギュレータ２０３のＧＮＤ端子は接地
され、そのＶＯ端子は、コンデンサ２０６の一端、抵抗２０８の一端、電解コンデンサ２
０９の一端、端子３Ｖ３、抵抗２１０の一端、コンデンサ２１１の一端、およびコネクタ
受け端子５のピン１１Ｐ，１２Ｐ，１３Ｐに接続されている。コンデンサ２０６の他端は
、レギュレータ２０３のＶＣ端子に接続されていると共に抵抗２０５を介して接地されて
いる。抵抗２０８の他端は、抵抗２０７を介してコンデンサ２０６の他端に接続されてい
る。電解コンデンサ２０９の他端、抵抗２１０の他端、およびコンデンサ２１１の他端は
接地されている。
【００５６】
第３の電圧出力回路３は、抵抗３０１、ダイオード３０２、レギュレータ３０３、コン
デンサ３０４、抵抗３０５、コンデンサ３０６、抵抗３０７、抵抗３０８、電解コンデン
サ３０９、抵抗３１０、およびコンデンサ３１１を有している。抵抗３０１の一端は端子
ＣＮＴに接続され、その他端はダイオード３０２のアノードに接続されている。ダイオー
ド３０２のカソードはレギュレータ３０３の端子ＶＣに接続されている。レギュレータ３
０３のＶＩＮ端子は、端子ＶＩＮに接続されていると共にコンデンサ３０４を介して接地
されている。レギュレータ３０３のＧＮＤ端子は接地され、そのＶＯ端子は、コンデンサ
３０６の一端、抵抗３０８の一端、電解コンデンサ３０９の一端、端子２Ｖ５、抵抗３１
０の一端、コンデンサ３１１の一端、およびコネクタ受け端子５のピン６Ｐ，７Ｐ，８Ｐ
に接続されている。コンデンサ３０６の他端は、レギュレータ３０３のＶＣ端子に接続さ
れていると共に抵抗３０５を介して接地されている。抵抗３０８の他端は、抵抗３０７を
介してコンデンサ３０６の他端に接続されている。電解コンデンサ３０９の他端、抵抗３
１０の他端、およびコンデンサ３１１の他端は接地されている。
【００５７】
図２は本発明の実施形態に係る電源装置においてメイン基板に実装された側の電圧出力
回路を含む構成を示す回路図である。
【００５８】
図２において、メイン基板Ｂには、前記５Ｖの電圧により制御され第４の電圧としての
１．５Ｖ（ＤＣ１．５Ｖ）の電圧を出力する第４の電圧出力回路４と、システム回路７と
、１Ｐ〜１８Ｐのピンを有するコネクタ受け端子６とが実装されている。コネクタ受け端
子６は図示しないコネクタのフレキシブルケーブルを介して前記コネクタ受け端子５に接
続される。
【００５９】
第４の電圧出力回路４は、コンデンサ４１、抵抗４２、コンデンサ４３、レギュレータ
４４、コンデンサ４５、電解コンデンサ４６、および抵抗４７を備えている。コンデンサ
４１の一端は端子ＵＲＧ２．４に接続されて２．４Ｖ電圧が与えられ、その他端は接地さ
れている。抵抗４２の一端は端子５Ｖに接続され、その他端はレギュレータ４４のＶＣ端
子およびコンデンサ４３の一端に接続されている。コンデンサ４１の他端およびコンデン
サ４３の他端は接地されている。レギュレータ４４のＶＩＮ端子は端子ＵＲＧ２．４に接
続され、そのＶＯ端子は、コンデンサ４５の一端、電解コンデンサ４６の一端、端子１Ｖ
５、および抵抗４７の一端に接続されている。レギュレータ４４のＧＮＤ端子、コンデン
サ４５の他端、電解コンデンサ４６の他端、および抵抗４７の他端は、接地されている。
システム回路７においては、１Ｖ５端子は端子１Ｖ５に接続され、２Ｖ５端子は端子２Ｖ
５に接続され、３Ｖ３端子は端子３Ｖ３に接続され、ＧＮＤ端子は接地されている。
【００６０】
電源基板Ａとメイン基板Ｂとは、電源基板Ａ側のコネクタ受け端子５とメイン基板Ｂ側
のコネクタ受け端子６とに接続されるコネクタ（図示せず）によって接続される。このコ
ネクタは、電源基板Ａ側のコネクタ受け端子５に嵌合して接続される一方の端子部と、メ
イン基板Ｂ側のコネクタ受け端子６に嵌合して接続される他方の端子部と、両端子部の間
を接続するフレキシブルケーブルとから構成されている。
【００６１】
図３は図１および図２の回路の構成をブロック的に示したブロック図である。図３にお
いて、第１の電圧出力回路１はパワースイッチ１０６をオンすることによって５Ｖ電圧を
出力し、第４の電圧出力回路４のレギュレータ４４にコントロール信号として供給する。
これにより、第４の電圧出力回路４は１．５Ｖ電圧を出力する。第２の電圧出力回路２は
、レギュレータ制御回路８からのコントロール信号により制御され、３．３Ｖ電圧を出力
する。第３の電圧出力回路３は、レギュレータ制御回路８からのコントロール信号により
制御され、２．５Ｖ電圧を出力する。
【００６２】
次に、図１および図２に示す回路の動作について説明する。第１の電圧出力回路１にお
いて、パワースイッチ１０６がオンされると、トランジスタ１０８がオンし、これにより
、トランジスタ１０１は動作状態に入り、端子ＶＩＮに入力された例えば１２Ｖ電圧に基
づいてトランジスタ１０１のベース電流が制御され、トランジスタ１０１のコレクタから
一定の５Ｖ電圧が出力される。したがって、この第１の電圧出力回路１は、一定の５Ｖ電
圧をコネクタ受け端子５のピン５Ｐに供給する。
【００６３】
第２の電圧出力回路２において、レギュレータ２０３は、端子ＣＮＴからＶＣ端子に入
力されたコントロール信号に従って動作し、端子ＶＩＮからＶＩＮ端子に入力された電源
電圧に基づいて一定の３．３Ｖの電圧をＶＯ端子から出力し、コネクタ受け端子５のピン
１０Ｐ，１１Ｐ，１２Ｐに供給する。
【００６４】
第３の電圧出力回路３において、レギュレータ３０３は、端子ＣＮＴからＶＣ端子に入
力されたコントロール信号に従って動作し、端子ＶＩＮからＶＩＮ端子に入力された電源
電圧に基づいて一定の２．５Ｖの電圧をＶＯ端子から出力し、コネクタ受け端子５のピン
６Ｐ，７Ｐ，８Ｐに供給する。
【００６５】
図４は本実施形態において電源タイミングの仕様を説明するためのタイミング図である
。本来電源タイミングは、１．５Ｖ電圧が１番先に立上り、次いで、２．５Ｖ電圧および
３．３Ｖ電圧が立上る。また、１．５Ｖの立下りは、２．５Ｖ電圧および３．３Ｖ電圧と
ほとんど同じタイミングとなっている。
【００６６】
図５は第１の実施形態において１．５Ｖ電圧と２．５Ｖ電圧と３．３Ｖ電圧との立上り
の電圧波形を示す波形図である。図５において、Ｌ１は３．３Ｖ電圧の立上りを示すライ
ン、Ｌ２は２．５Ｖ電圧の立上りを示すライン、Ｌ３は２．５Ｖ電圧の立上りを示すライ
ンである。
【００６７】
図６は第２の実施形態において１．５Ｖ電圧と２．５Ｖ電圧と３．３Ｖ電圧との立上り
の電圧波形を示す波形図である。図６において、Ｌ１は３．３Ｖ電圧の立上りを示すライ
ン、Ｌ２は２．５Ｖ電圧の立上りを示すライン、Ｌ３は２．５Ｖ電圧の立上りを示すライ
ンである。
【００６８】
図７は第３の実施形態において高温でディスクが有る時の１．５Ｖ電圧と２．５Ｖ電圧
と３．３Ｖ電圧との立下りの電圧波形を示す波形図である。図７において、Ｌ１は３．３
Ｖ電圧の立下りを示すライン、Ｌ２は２．５Ｖ電圧の立下りを示すライン、Ｌ３は２．５
Ｖ電圧の立下りを示すラインである。
【００６９】
図８は第３の実施形態において高温でディスクが無い時の１．５Ｖ電圧と２．５Ｖ電圧
と３．３Ｖ電圧との立下りの電圧波形を示す波形図である。図８において、Ｌ１は３．３
Ｖ電圧の立下りを示すライン、Ｌ２は２．５Ｖ電圧の立下りを示すライン、Ｌ３は２．５
Ｖ電圧の立下りを示すラインである。
【００７０】
図９は第３の実施形態において低温でディスクが有る時の１．５Ｖ電圧と２．５Ｖ電圧
と３．３Ｖ電圧との立下りの電圧波形を示す波形図である。図９において、Ｌ１は３．３
Ｖ電圧の立下りを示すライン、Ｌ２は２．５Ｖ電圧の立下りを示すライン、Ｌ３は２．５
Ｖ電圧の立下りを示すラインである。
【００７１】
図１０は第３の実施形態において低温でディスクが無い時の１．５Ｖ電圧と２．５Ｖ電
圧と３．３Ｖ電圧との立下りの電圧波形を示す波形図である。図１０において、Ｌ１は３
．３Ｖ電圧の立下りを示すライン、Ｌ２は２．５Ｖ電圧の立下りを示すライン、Ｌ３は２
．５Ｖ電圧の立下りを示すラインである。
【００７２】
ところで、従来の電源装置では、図１３に示すように、電源の立上り時、本来なら１番
に立上るはずの１．５Ｖの電圧が最後に立上っている。本来ならメイン基板Ｂに１．５Ｖ
電圧制御用として、パワースイッチ１０６の信号を引張ってくれば、１．５Ｖ電圧は３．
３Ｖ電圧および２．５Ｖ電圧と同時に立上るが、コネクタのフレキシブルケーブルの配線
を１本減らしてコストダウンを図るために、１．５Ｖの制御は、電源基板Ａに実装されて
いるパワースイッチ１０６からのパワースイッチ信号の代わりに５Ｖ電圧で制御している
ので、この５Ｖの立上りが遅れると、１．５Ｖ立上りも遅れてくる。
【００７３】
そこで、本発明の第１の実施形態に係る電源装置では、レギュレータ制御回路８（図３
参照）は、ソフトウェア処理により、パワースイッチ信号よりも所定時間、この回路構成
の場合、１０ｍｓ遅らせてコントロール信号を出力するようにしている。したがって、電
源基板Ａにおける端子ＣＮＴに入力されるコントロール信号は、パワースイッチ信号より
も立上りが１０秒遅れ、これにより、第２の電圧出力回路２から出力される３．３Ｖ電圧
の立上りが１０秒遅れると共に、第３の電圧出力回路３から出力される２．５Ｖ電圧の立
上りも１０秒遅れ、この結果、第４の電圧出力回路４から出力される１．５Ｖ電圧は、図
５の波形図に示すように３．３Ｖ電圧と２．５Ｖ電圧とほぼ同時に立上ることになる。
【００７４】
したがって、この第１の実施形態の電源装置によれば、コントロール信号の立上りを１
０ｍｓ遅らせることで、１．５Ｖ電圧を５Ｖ電圧で制御しても図５に示すようになり、図
４に示すような電源タイミングの仕様を満足させつつ、尚且つコネクタのフレキシブルケ
ーブルの配線を１本削減でき、コストダウンを図ることができる。
【００７５】
本発明の第２の実施形態に係る電源装置では、第２の電源出力回路２から出力される３
．３Ｖ電圧の立上りが、第４の電圧出力回路４から出力される１．５電圧の立上りに合わ
せることができるような容量の第１のコンデンサ（この回路構成の場合０．０１μＦのコ
ンデンサ２０６）を第２の電圧出力回路２のレギュレータ２０３の出力ラインに接続する
と共に、第３の電源出力回路３から出力される２．５電圧の立上りが、第４の電圧出力回
路４から出力される１．５電圧の立上りに合わせることができるような容量の第２のコン
デンサ（この回路構成の場合０．０１μＦのコンデンサ３０６）を第３の電圧出力回路３
のレギュレータ３０３に出力ラインに接続する。
【００７６】
即ち、この第２の実施形態では、上記の従来の問題点をハードウェア的に解決するため
、レギュレータ２０３のＶＯ端子とＶＣ端子間に０．０１μＦのコンデンサ２０６を接続
し、レギュレータ３０３のＶＯ端子とＶＣ端子間に０．０１μＦのコンデンサ３０６を接
続している。したがって、３．３Ｖ電圧および２．５Ｖ電圧が図６に示すように立上りが
遅れ、１．５Ｖ電圧を５Ｖ電圧で制御しても図４に示すような電源タイミングの仕様を満
足させつつ、尚且つコネクタのフレキシブルケーブルの配線を１本削減でき、コストダウ
ンを図ることができる。
【００７７】
第４の電圧出力回路４は、パワースイッチ１０６をオンしたときのパワースイッチ信号
の代わりに第１の電圧出力回路１からの５Ｖ電圧で制御されているが、パワースイッチ１
０６のオフ時には第１の電圧出力回路１から出力される５Ｖ電圧の立下りが遅れるので、
第４の電圧出力回路４から出力される１．５Ｖ電圧の立下りは遅れる。そのため、本発明
の第３の実施形態に係る電源装置では、第４の電圧出力回路４のコントロールラインのコ
ンデンサ４３に換えて抵抗４３Ｒを接続し、これにより、パワースイッチ１０６のオフ時
の第４の電圧出力回路４のコントロール信号として第４の電圧出力回路４に与えられる５
Ｖ電圧の立下りが早くなり、また、第２，第３の電圧出力回路へのコントロール信号の立
下りを所定時間（この回路構成の場合１０ｍｓ）遅らせることにより、１．５電圧の立下
りを３．３Ｖ電圧および２．５Ｖ電圧の立下りに合わすことができる。
【００７８】
例えば、光ディスク再生装置において、高温時に光ディスクが装填されている状態であ
るディスク負荷がある場合に、図１４に示すように１．５Ｖ電圧の立下りタイミングが３
．３Ｖ電圧および２．５Ｖ電圧の立下りタイミングよりも約５１．８ｍｓ遅れ、図４に示
すような電源タイミングの仕様を満足しないので、第３の実施形態のような構成にして対
策を施している。１．５Ｖ電圧の立下りタイミングが３．３Ｖ電圧および２．５Ｖ電圧の
立下りタイミングよりも遅れるのは、５Ｖ電圧の立下りが遅い事、１．６Ｖ電圧の負荷が
３．３Ｖ電圧と２．５Ｖ電圧の負荷よりも小さい事、第４の電圧出力回路４の電界コンデ
ンサ４６の容量などによるものである。
【００７９】
この第３の実施形態において高温でディスクが有る時の１．５Ｖ電圧と２．５Ｖ電圧と
３．３Ｖ電圧との立下りの電圧波形は前記図７で説明したようになり、高温でディスクが
無い時の１．５Ｖ電圧と２．５Ｖ電圧と３．３Ｖ電圧との立下りの電圧波形は前記図８で
説明したようになり、また、低温でディスクが有る時の１．５Ｖ電圧と２．５Ｖ電圧と３
．３Ｖ電圧との立下りの電圧波形は図９で説明したようになり、低温でディスクが無い時
の１．５Ｖ電圧と２．５Ｖ電圧と３．３Ｖ電圧との立下りの電圧波形は図１０で説明した
ようになる。
【００８０】
したがって、この第３の実施形態では、１．５Ｖ電圧の立下りタイミングの遅れを解消
するために、第４の電圧出力回路４のコンデンサ４３に換えて抵抗４３Ｒ（この回路構成
に場合２２ＫΩの抵抗４３Ｒ）を接続している。この抵抗４３Ｒにより、レギュレータ４
４のＶＣ端子の最小電圧２Ｖに対し、３．４Ｖ電圧がＶＣ端子に与えられるようにし、更
に、レギュレータ制御回路８のソフトウェア処理により、コントロール信号の立下りを所
定時間（この回路構成の場合１０ｍｓ）遅らせている。このように、コントロール信号の
立下りを所定時間（この回路構成の場合１０ｍｓ）遅らせることで、約−５℃〜５０℃の
環境下でも図４に示すような電源タイミングの仕様を満足させつつ、尚且つコネクタのフ
レキシブルケーブルの配線を１本削減でき、コストダウンを図ることができる。
【図面の簡単な説明】
【００８１】
【図１】本発明の実施形態に係る電源装置において電源基板に実装された側の電圧出力回路の構成を示す回路図である。
【図２】本発明の実施形態に係る電源装置においてメイン基板に実装された側の電圧出力回路を含む構成を示す回路図である。
【図３】図１および図２に示す回路の構成をブロック的に示したブロック図である。
【図４】前記実施形態において電源タイミングの仕様を説明するためのタイミング図である。
【図５】第１の実施形態において１．５Ｖ電圧と２．５Ｖ電圧と３．３Ｖ電圧との立上りの電圧波形を示す波形図である。
【図６】第２の実施形態において１．５Ｖ電圧と２．５Ｖ電圧と３．３Ｖ電圧との立上りの電圧波形を示す波形図である。
【図７】第３の実施形態において高温でディスクが有る時の１．５Ｖ電圧と２．５Ｖ電圧と３．３Ｖ電圧との立下りの電圧波形を示す波形図である。
【図８】第３の実施形態において高温でディスクが無い時の１．５Ｖ電圧と２．５Ｖ電圧と３．３Ｖ電圧との立下りの電圧波形を示す波形図である。
【図９】第３の実施形態において低温でディスクが有る時の１．５Ｖ電圧と２．５Ｖ電圧と３．３Ｖ電圧との立下りの電圧波形を示す波形図である。
【図１０】第３の実施形態において低温でディスクが無い時の１．５Ｖ電圧と２．５Ｖ電圧と３．３Ｖ電圧との立下りの電圧波形を示す波形図である。
【図１１】従来の電源装置において電源基板に実装された側の電圧出力回路の構成を示す回路図である。
【図１２】従来の電源装置においてメイン基板に実装された側の電圧出力回路を含む構成を示す回路図である。
【図１３】従来の電源装置において１．５Ｖ電圧と２．５Ｖ電圧と３．３Ｖ電圧との立上りの電圧波形を示す波形図である。
【図１４】従来の電源装置において高温でディスクが有る時の１．５Ｖ電圧と２．５Ｖ電圧と３．３Ｖ電圧との立下りの電圧波形を示す波形図である。
【符号の説明】
【００８２】
Ａ    電源基板
Ｂ    メイン基板
１    第１の電圧出力回路
２    第２の電源出力回路
３    第３の電源出力回路
４    第４の電源出力回路
４３Ｒ    抵抗
２０６    コンデンサ（第１のコンデンサ）
３０６    コンデンサ（第２のコンデンサ）
【図１】
2005348493.tif 000003
【図２】
2005348493.tif 000004
【図３】
2005348493.tif 000005
【図４】
2005348493.tif 000006
【図５】
2005348493.tif 000007
【図６】
2005348493.tif 000008
【図７】
2005348493.tif 000009
【図８】
2005348493.tif 000010
【図９】
2005348493.tif 000011
【図１０】
2005348493.tif 000012
【図１１】
2005348493.tif 000013
【図１２】
2005348493.tif 000014
【図１３】
2005348493.tif 000015
【図１４】
2005348493.tif 000016